(57)【要約】【課題】コストアップしてしまうことと部品点数が増加してしまうことを抑制しながら安全性が確保された空気調和機の室外機を提供することを目的としている。【解決手段】背面外郭を構成する背面部１Ａ、当該背面部１Ａの一方に連設された曲面１Ｂ部及び当該曲面部１Ｂの一方に連設された側面部１Ｃを有し、平面視略Ｌ字形状の熱交換器１と、熱交換器の曲面部１Ｂの外側に沿うように立設された曲面部１２Ａ、当該曲面部１２Ａに連設され熱交換器の側面部１Ｃの外側に平行に立設された側面部１２Ｂ及び当該側面部１２Ｂに連設され熱交換器の背面部１Ａに平行に立設された正面部１２Ｃを有する外郭パネル１２と、を備えた空気調和機の室外機１００において、外郭パネルの曲面部１２Ａの背面側の側端部１７は、熱交換器の曲面部１Ｂに近接して設けられた。【選択図】図５
2012087996.tif 000002
【特許請求の範囲】
【請求項１】
背面外郭を構成する背面部、当該背面部の一方に連設された曲面部及び当該曲面部の一方に連設された側面部を有し、平面視略Ｌ字形状の熱交換器と、
前記熱交換器の曲面部の外側に沿うように立設された曲面部、当該曲面部に連設され前記熱交換器の側面部の外側に平行に立設された側面部及び当該側面部に連設され前記熱交換器の背面部に平行に立設された正面部を有する外郭パネルと、を備えた空気調和機の室外機において、
前記外郭パネルの曲面部の背面側の側端部は、
前記熱交換器の曲面部に近接して設けられた
ことを特徴とする空気調和機の室外機。
【請求項２】
前記外郭パネルの曲面部の背面側の側端部は、
前記熱交換器の曲面部と前記Ｌ字形状熱交換器の背面部との境目の近傍まで設けられた
ことを特徴とする請求項１に記載の空気調和機の室外機。
【請求項３】
前記外郭パネルの曲面部の背面側の側端部は、
前記外郭パネルの曲面部の水平断面において、
前記外郭パネルの側面部に向かう方向に折り曲げられた
ことを特徴とする請求項１又は２に記載の空気調和機の室外機。
【請求項４】
前記外郭パネルの側面部には、
鉛直方向に沿って凹部が形成された
ことを特徴とする請求項１又は２に記載の空気調和機の室外機。
【発明の詳細な説明】
【技術分野】
【０００１】
本発明は、空気調和機の室外機に関し、特に、室外機の外郭構造に関するものである。
【背景技術】
【０００２】
空気調和機の室外機には、熱交換器の形状を断面Ｌ字形状（断面略Ｌ字形状）として、熱交換量を確保しながら小型化したものが各種提案されている。通常、このＬ字形状の熱交換器は、室外機の一方の側面及び室外機の吸込口が形成された面（吸込口側の面）に対向するように配設されている。そして、該室外機の一方の側面及び吸込口側の面を覆う外郭を、格子状の桟等が形成されたパネルで構成して、熱交換器に供給される空気の流れを阻害しないようにしている。
【０００３】
このような空気調和機の室外機には、室外機を構成する外郭のうち熱交換器を覆う外郭が、室外機の側面に対向する側面パネル、Ｌ字に曲がる部分に対向する角部、及び吸込口に対向するパネルで構成されたものが提案されている（例えば、特許文献１参照）。
この特許文献１に記載の技術では、室外機が載置される面と平行な断面において、角部が直線であるのに対し、Ｌ字形状の熱交換器のＬ字に曲がる部分（Ｒ形状部）は曲線となっている。つまり、角部とＬ字形状の熱交換器のＲ形状部には隙間が生じている。
【０００４】
また、特許文献１に記載の空気調和機の室外機は、吸込口が正面になるようにしたものであるが、近年の空気調和機の室外機においては、吸込口を、あえて目の届きにくい背面とすることで、吸込口に対向するパネルをなくし、熱交換器の放熱フィンを露出させたものが存在する。
【先行技術文献】
【特許文献】
【０００５】
【特許文献１】実開平５−８３２４号公報（例えば、図１参照）
【発明の概要】
【発明が解決しようとする課題】
【０００６】
特許文献１に記載の技術において、近年の空気調和機の室外機のように、吸込口に対向するパネルをなくして熱交換器を露出させると、例えば運搬等の目的で室外機を持つ際に、上記隙間に指を入れて室外機を持ってしまったときに、角部の側端部のエッジ（端面エッジ）により切創等のけがをする恐れがあった。それを受けて、該エッジに樹脂製の部品を設けたり、角部をＲ形状部の終端部まで延長して指等が入りにくくしたりして安全性を確保するための対策をしていた。これにより、該樹脂製の部品を設ける分だけ部品点数が増加したり、材料コストが増加したり、また、角部を終端部まで延長する分だけ材料コストが増加したりしてしまっていた。
【０００７】
本発明は、以上のような課題を解決するためになされたもので、コストアップしてしまうことと部品点数が増加してしまうことを抑制しながら安全性が確保された空気調和機の室外機を提供することを目的としている。
【課題を解決するための手段】
【０００８】
本発明に係る空気調和機の室外機は、背面外郭を構成する背面部、当該背面部の一方に連設された曲面部及び当該曲面部の一方に連設された側面部を有し、平面視略Ｌ字形状の熱交換器と、熱交換器の曲面部の外側に沿うように立設された曲面部、当該曲面部に連設され熱交換器の側面部の外側に平行に立設された側面部及び当該側面部に連設され熱交換器の背面部に平行に立設された正面部を有する外郭パネルと、を備えた空気調和機の室外機において、外郭パネルの曲面部の背面側の側端部は、熱交換器の曲面部に近接して設けられたものである。
【発明の効果】
【０００９】
本発明に係る空気調和機の室外機によれば、上記構成を備えているので、コストアップしてしまうことと部品点数が増加してしまうことを抑制しながら安全性を確保することができる。
【図面の簡単な説明】
【００１０】
【図１】本発明の実施の形態に係る空気調和機の室外機の内部構成を示すものである。
【図２】図１に示す室外機の外郭部品を示すものである。
【図３】図１に示す室外機の外観図である。
【図４】図１に示す室外機の内部構成を上面方向から見たものである。
【図５】図１に示す室外機の外郭パネルの曲面部の側端について説明するものである。
【図６】図１に示す室外機の背面斜視図である。
【発明を実施するための形態】
【００１１】
以下、本発明の実施の形態を図面に基づいて説明する。
実施の形態
図１は、本発明の実施の形態に係る空気調和機の室外機１００の内部構成を示すものである。図２は、図１に示す室外機１００の外郭部品を示すものである。図３は、図１に示す室外機１００の外観図である。なお、図１を含め、以下の図面では各構成部材の大きさの関係が実際のものとは異なる場合がある。
【００１２】
［室外機１００の外郭構成］
室外機１００の外郭構成について図１、図２及び図３に基づいて説明する。
室外機１００は、底面に配設されたベース１１に、Ｌ字形状の熱交換器の曲面部１Ｂ（後述して説明する）に配設された外郭パネルの曲面部１２Ａ、送風機室５側の側面に配設された外郭パネルの側面部１２Ｂ及び正面に配設された外郭パネルの正面部１２Ｃとが連設されて構成された外郭パネル１２と、機械室９側の側面に配設された側面パネル１３とがそれぞれ立設され、さらに、外郭パネル１２及び側面パネル１３の上端には、天面パネル１４が設けられて、外郭（外部筐体）を構成したものである。
なお、外郭パネルの曲面部１２Ａ、外郭パネルの側面部１２Ｂ及び外郭パネルの正面部１２Ｃは、同体であるものとして説明するが、別体であってもよい。
【００１３】
［室外機１００内の構成］
室外機１００内の構成について説明する。
室外機１００内には、冷媒配管７が接続されたＬ字形状の熱交換器１と、送風機室５に設けられＬ字形状の熱交換器１に付設された送風機３０と、送風機室５とセパレータ１０によって隔離された機械室９に設けられた圧縮機６と、機械室９であって圧縮機６の上方に設けられた電気品箱８とを有している。
【００１４】
Ｌ字形状の熱交換器１は、送風機３０によって供給された空気と、Ｌ字形状の熱交換器１の伝熱管を流れる冷媒と、を熱交換させるものである。Ｌ字形状の熱交換器１は、水平断面（例えば、ベース１１と略平行な平面における断面）形状が、略Ｌ字形状となっており、背面外郭を構成する背面部１Ａ、背面部１Ａの一方に連設された曲面部１Ｂ及び曲面部１Ｂの一方（背面部１Ａと連設されていない方）に連設された側面部１Ｃを有するものである。
そしてＬ字形状の熱交換器の曲面部１Ｂが、外郭パネルの側面部に対向するように（略平行に）設けられ、曲面部１Ｂが、外郭パネルの曲面部１２Ａに対向するように（略平行に）設けられている。また、背面部１Ａは、室外機１００の背面外郭を構成している。つまり、室外機１００の背面において、Ｌ字形状の熱交換器１の背面部１Ａは、露出（開放）されている。
【００１５】
送風機３０は、Ｌ字形状の熱交換器１に空気を供給するものである。つまり、送風機３０は、Ｌ字形状の熱交換器１の背面部１Ａ側、曲面部１Ｂ側及び側面部１Ｃ側から空気を取り込み、外郭パネル１２の正面に形成された吹出口３１から該空気を放出するものである。送風機３０は、プロペラファン２及びモーター３から構成されている。この送風機３０は、送風機室５に設けられており、Ｌ字形状の熱交換器の背面部１Ａの上部に設けられた（係止された）モーターサポート４によって支持されている。なお、モーターサポート４が、設けられる位置は、特に、限定されるものではないが、Ｌ字形状の熱交換器の背面部１Ａの上部に設けられているものとして説明する。
圧縮機６は、低圧ガス状態の冷媒を吸引し、高圧ガス状態に圧縮して冷媒回路（図示省略）に搬送するものである。圧縮機６は、機械室９に設けられている。この圧縮機６は、例えば容量制御可能なインバータ圧縮機等で構成するとよい。
電気品箱８は、例えば、送風機３０のモーター３の回転数や、圧縮機６の回転数、室外機１００に設けられた各種センサー（図示省略）等を制御するための制御手段等が、内部に設けられている。この電気品箱８は、送風機室５と機械室９とを隔離するためのセパレータ１０の上部と、機械室９の側面のうちの側面パネル１３側の側面上部と、で支持されている。なお、電気品箱８が設けられる位置は、特に、限定されるものではないが、圧縮機６の上部に設けられているものとして説明する。また、電気品箱８を支持する部材は、特に、限定されるものではないが、セパレータ１０の上部と、機械室９の側面のうちの側面パネル１３側の側面上部と、に支持されているものとして説明する。
【００１６】
［外郭パネルの曲面部１２Ａについて］
図４は、図１に示す室外機１００の内部構成を上面方向から見たものである。図５は、図１に示す室外機１００の外郭パネルの曲面部１２Ａの側端部１７について説明するものである。図６は、図１に示す室外機１００の背面斜視図である。図４、図５及び図６に基づいて、外郭パネル１２について詳しく説明する。
【００１７】
外郭パネルの曲面部１２Ａは、図４に示すように、Ｌ字形状の熱交換器の曲面部１Ｂの外側に沿うように立設されたものである。この外郭パネルの曲面部１２Ａは、水平断面（ベース１１と平行な面における断面）において、Ｌ字形状の熱交換器の曲面部１Ｂと、Ｌ字形状の熱交換器の背面部１Ａとの境目の近傍まで設けられたものである。
外郭パネルの曲面部１２Ａの曲面形状は、特に、限定されるものではないが、水平断面において、図５（ａ）に示すように、例えばＬ字形状の熱交換器の曲面部１Ｂと略同心円の円弧形状とするとよい。これにより、Ｌ字形状の熱交換器の曲面部１Ｂを覆うために必要な外郭パネルの曲面部１２Ａの材料を低減することができるのでコストを抑制することができる。また、外郭パネルの曲面部１２Ａの曲面形状は、水平断面において、１つ以上の角を有する形状であってもよい。但し、外郭パネルの曲面部１２Ａの背面側の側端部１７と、Ｌ字形状の熱交換器の曲面部１Ｂとの間に設けられた隙間は、該隙間に指等が入ってしまうことを抑制する程度に近接しているものとする。この隙間は、例えば５〜１０ｍｍとするとよい。
【００１８】
さらに、図５（ｂ）に示すように、この外郭パネルの曲面部１２Ａのうち上記境目の近傍まで設けられた方の側端部１７は、外郭パネルの曲面部１２Ａの水平断面において、外郭パネルの側面部１２Ｂに向かう方向に折り曲げられている（折り返されている）。この折り曲げる形状は、外郭パネルの曲面部１２Ａの水平断面において、例えば略Ｕ字形状等とするとよい。
なお、図５（ｂ）のように、Ｌ字形状の熱交換器１側に折り曲げてもよいが、その反対側である外側に折り曲げてもよい。但し、外側に折り曲げる場合には側端部１７のエッジでけがをしないように、その側端部１７をＬ字形状の熱交換器の曲面部１２Ａの外面に当接させておくとよい。
さらに、外郭パネルの曲面部１２Ａには、Ｌ字形状の熱交換器１のうち、特に、側面部１Ｃに空気を送り込むための複数の開口部１６Ａが形成されている。なお、複数の開口部１６Ａが形成される位置は、特に、限定されるものではない。また、複数の開口部１６Ａの形状は、特に、限定されるものではないが、例えば略四角形等とすればよい。
【００１９】
［外郭パネルの側面部１２Ｂについて］
外郭パネルの側面部１２Ｂには、Ｌ字形状の熱交換器１のうち、特に、側面部１Ｃに空気を送り込むための複数の開口部１６Ｂが形成されている。なお、複数の開口部１６Ｂが形成される位置は、特に、限定されるものではない。また、複数の開口部１６Ｂの形状は、特に、限定されるものではないが、例えば略四角形状等とすればよい。
この外郭パネルの側面部１２Ｂには、図６に示すように、室外機１００の鉛直方向に対する強度を向上させるための凹部１８が、鉛直方向に伸びるように形成されている。この凹部１８は、室外機１００の外から内部方向に向けて凹んでるものである。凹部１８を形成するための加工手段は、特に、限定されるものではないが、例えば絞り加工を施せばよい。なお、凹部１８が、形成される数は、特に限定されるものではない。また、この凹部１８が、形成される場所は、特に、限定されるものではないが、例えば図６に示すように、外郭パネルの側面部１２Ｂの両側端側に形成されているとよい。
なお、外郭パネルの側面部１２Ｂと、Ｌ字形状の熱交換器の側面部１Ｃとの間には、上記凹部１８が形成されても所定の間隔の隙間が設けられており、外郭パネルの側面部１２Ｂと、Ｌ字形状の熱交換器の側面部１Ｃが接触してしまうことはないものとする。
また、この凹部１８を設ける代わりに、室外機１００の内部から室外機１００の外に向けて突出した凸部が形成されていてもよい。なお、この凹部１８は、外郭パネルの曲面部１２Ａに形成されていてもよいことは言うまでもない。
【００２０】
[室外機１００の有する効果]
外郭パネルの曲面部１２Ａの背面側の側端部１７は、Ｌ字形状の熱交換器の曲面部１Ｂに近接して設けられているので、隙間に指等が入ってしまいにくくなり、Ｌ字形状の熱交換器１のフィン等でけがをしてしまうことが抑制される。つまり、外郭パネルの曲面部１２ＡとＬ字形状の熱交換器の曲面部１Ｂとの間に指等を入りにくくするために外郭パネルの曲面部１２ＡをＬ字形状の熱交換器の曲面部１ＢとＬ字形状の熱交換器の背面部１Ａの境目まで延長する等の改良をしなくとも、安全性を確保することができるため、コストアップと部品点数の増加を抑制しながら安全性を確保した室外機１００を提供することができる。
また、外郭パネルの曲面部１２Ａは、水平断面（ベース１１と平行な面における断面）において、Ｌ字形状の熱交換器の曲面部１Ｂと、Ｌ字形状の熱交換器の背面部１Ａとの境目の近傍まで設けられており（境目までではない）、Ｌ字形状の熱交換器の曲面部１２Ｂのフィンが露出する面積が小さくなっているので、フィンでけがをしてしまうことが抑制される。つまり、コストアップを抑制しながら、安全性を確保した室外機１００を提供することができる。
さらに、外郭パネルの曲面部１２Ａの側端部１７は、外郭パネルの曲面部１２Ａの水平断面において、外郭パネルの側面部１２Ｂに向かう方向に折り曲げられているので、該側端部１７のエッジでけがをしてしまうことが抑制される。つまり、該側端部１７のエッジに樹脂等を設ける改良をしないでも、安全性を確保することができるため、コストアップと部品点数の増加を抑制しながら安全性を確保した室外機１００を提供することができる。
【００２１】
外郭パネルの側面部１２Ｂには、鉛直方向に伸びるように凹部１８が形成されているので、室外機１００の鉛直方向に対する強度を向上させることができる。これにより、例えば、室外機１００を倉庫等で段積みにして保管された際に、かかる加重によって、外郭パネルの側面部１２Ｂが座屈してしまうことが抑制されることは言うまでもない。なお、外郭パネルの曲面部１２Ａにも、凹部１８が形成された場合においても、同様の効果を得ることができることは言うまでもない。
【符号の説明】
【００２２】
１  Ｌ字形状の熱交換器、１Ａ  Ｌ字形状の熱交換器の背面部、１Ｂ  Ｌ字形状の熱交換器の曲面部、１Ｃ  Ｌ字形状の熱交換器の側面部、２  プロペラファン、３  モーター、４  モーターサポート、５  送風機室、６  圧縮機、７  冷媒配管、８  電気品箱、９  機械室、１０  セパレータ、１１  ベース、１２  外郭パネル、１２Ａ  外郭パネルの曲面部、１２Ｂ  外郭パネルの側面部、１２Ｃ  外郭パネルの正面部、１３  側面パネル、１４  天面パネル、１６Ａ  複数の開口部、１６Ｂ  複数の開口部、１７  側端部、１８  凹部、３０  送風機、３１  吹出口、１００  室外機。
【図１】
2012087996.tif 000003
【図２】
2012087996.tif 000004
【図３】
2012087996.tif 000005
【図４】
2012087996.tif 000006
【図５】
2012087996.tif 000007
【図６】
2012087996.tif 000008